(57)【要約】      （修正有）【課題】インターネット通信の際の快適性と利便性を高めることができるインターネット電話装置を提供する。【解決手段】USBポートがコンピュータと連接できるか判断し、インターネット電話通信コントロールユニット内にはインターネット電話通信のプログラム及び資料がたち上げられ、USBポートが差し込まれて接続された後に即座にインターネット電話通信コントロールユニットを触発し起動し、即座にインターネット電話を掛けることを可能とし、加えてインターネット電話のソフトウェアをダウンロードやインターネット電話通信ソフトウェアの設置及び設定、さらにはアドレスブック等の複雑な順序の建立等の問題を解決するため、いかなるコンピューターにおいても連接することを可能とし、設置しなくとも即座にインターネット通話を行うことを可能とする。【選択図】図１
0003126354.tif 000002
【実用新案登録請求の範囲】
【請求項１】
コンピューターに対応するUSBコネクターに挿し込まれてなるUSBポートに係り、該USBポートに接続することに係るUSBコントローラは、USBポートがコンピューターと接続したかどうかを判断、及び資料の転換処理を行う。
該USBコントローラと記憶ユニットは双方向に接続してなり、さらに
USBコントローラはコンピューターのコントロールの命令を受け、資料を記憶ユニット内に保存、或いは記憶ユニット内の資料を読み出すことができ、コンピューター保存媒体を構成してなる。
また、USBコントローラに接続されたインターネット電話通信コントロールユニットは、内部にインターネット電話通信に相関する方式及び資料が建立されてなり、少なくとも１つのアカウントの実行機能を具えてなるため、装置をコンピューターに挿し込んだ直後には自動的にサインインして電話通信が行え、装置を引き抜くと自動的にダウンロードされることを特徴とする即座に使用可能なインターネット通信装置。
【請求項２】
前記USBコントローラ内にはスイッチングハブの機能が含まれてなり、並びにデジタル音楽放送ユニットと統合することにより、デジタルプログラムの音楽シグナルを放送することを特徴とする請求項1記載の即座に使用可能なインターネット通信装置。
【請求項３】
前記USBコントローラ内にはスイッチングハブの機能が含まれてなり、並びにブルートゥース通信モジュールと統合してなり、外部のブルートゥース通信機、或いはワイヤレス接続の設置を行うことが可能であることを特徴とする請求項1記載の即座に使用可能なインターネット通信装置。
【請求項４】
前記記憶ユニットがフラッシュメモリー体、ＥＰＲＯＭ（Erasable Programmable Read Only Memory）、メモリーチップとなることが可能であることを特徴とする請求項1記載の即座に使用可能なインターネット通信装置。
【請求項５】
前記フラッシュメモリー体が分割プログラムを通過し、部分的なメモリー空間を分割することによって、インターネット電話通信コントロールユニットをその中に統合することを特徴とする請求項1、2、3、4記載の即座に使用可能なインターネット通信装置。
【請求項６】
前記インターネット電話通信コントロールユニットにメッセージ伝送のプログラムが含まれてなることを特徴とする請求項1、2、3記載の即座に使用可能なインターネット通信装置。
【請求項７】
前記インターネット電話通信コントロールユニットに映像読み取り装置及び伝送のプログラムが含まれてなることを特徴とする請求項1、2、3或いは請求項6記載の即座に使用可能なインターネット通信装置。
【請求項８】
前記USBコントローラにプッシュボタン件が接続されてなることを特徴とする請求項1、2、3或いは4記載の即座に使用可能なインターネット通信装置。
【請求項９】
前記USBコントローラにマイクアタッチメント及びイヤホンアタッチメントが接続されてなることを特徴とする請求項1、2、3或いは4記載の即座に使用可能なインターネット通信装置。
【請求項１０】
前記USBコントローラにマイクアタッチメント、イヤホンアタッチメント、プッシュボタン部が接続されてなることを特徴とする請求項8記載の即座に使用可能なインターネット通信装置。
【考案の詳細な説明】
【技術分野】
【０００１】
本考案は即座に使用可能なインターネット通信装置であり、特に設置や設定をしなくとも、挿し込んだ後に即座に実行が可能なポータブルのインターネット電話装置に係る。
【背景技術】
【０００２】
インターネットは全世界に資料を障害なく相互に通信することを提供するプラットフォームであり、それによって近年来の通信業者が着目し、さらに共通のプラットフォームを開発することで遠距離通話の橋立となり、通話料の節約の目的に達しようとしている。
ただし、インターネット電話は資料が封じられた状態でプラットフォーム上で伝送されて構築されてなるため、まず解決しなければならないのは、即時性の伝送の通信の品質を確保することであり、多くの企業から出ている多くの音声を封じることを維持したまま伝送する即時性のインターネットを構築することにより、好適な通話品質を提供している。
【０００３】
現在、インターネット電話はここ何年かの技術改進を経過することにより、通話品質上においては既に交換式電話システムと比較しても大して違いがなく、さらに相対してインターネット人口或いは会社の部門が通話パイプとしてインターネット電話を使用するという状況は日に日に普及している。
一般にコンピューターでインターネットを利用して通話している人達から見て、現在インターネット電話の使用状況としては、一部の大型入り口ウェブサイトが現在無料ダウンロードの即時の通信ソフトウェア（例えば、YAHOO messenger、MSN、SKY net等）を提供してなり、インターネット利用者がコンピューターにダウンロードを実行後に、再びウェブサイトに連結してサーバーを入力し、基本資料の登録及びアドレスの作成等をし、今後の使用時に快速にアドレス登録している人に対して使用者がオンラインにいることを知らせることに役立てる。
使用のプログラムとしては、一般的にはインターネットサーバーにそれぞれの使用者のオンライン状況及びメールアドレスを記録することが統一されてなり、サインインに成功した使用者が再び同じサーバーにオンライン時に、
該サーバーは使用者が以前に作成し、同じくサーバー登録に成功した相手のアドレス資料（例えばメールアドレス）を読み取ることができ、並びに使用者が既にオンラインに成功した情報を現在オンラインしている他のアドレス登録者に知らせ、それと同時にアドレス登録者のオンラインの状況や反応を使用者のコンピュータ上に示すため、使用者或いはその他のアドレス登録された人達は即座にオンライン上にいる相手と連接することが可能となる。
現在の各種の通信ソフトウェアが提供する功能から見ると、一般的にはメッセージ/メール/伝言板/通話/映像等の情報が含まれる。すなわち、オンラインする双方が以上の各種の資料の形態によってコミュニケーションを行うことが可能となり、非常に便利である。
上述の説明からも分かるとおり、現在コンピューターによって実行されているインターネット電話通信はおそらく以下の順序によってなる。
通信ソフトウェアを取得し、通信ソフトウェアを実行及び設置することにより特定のサーバーに連接することによって、資料の登録やアドレス資料の設定、パスワード及びアカウントを取得することを行った後に、再び新たにサーバーに連接し、パスワードとアカウントを入力してサインインを成功させ、オンラインしている一人の相手或いは多数の相手との連接を建立し、ソフトウェアの通話の機能を選択し、通話を行う。
【考案の開示】
【考案が解決しようとする課題】
【０００４】
公知の構造には以下の欠点があった。
すなわち、一般の使用者が以上のような通信ソフトウェアによってインターネット電話通信を行う時、通信ソフトウェアを実行するコンピューターは使用者のアカウント及びパスワード等の情報を記録するため、固定して使用する者のコンピューターから言うと、オンラインするのは便利であるが、しかしコンピューターがフリーズして資料が回復できない時には、設定したアカウント及びパスワードを新たにもう一度探す必要がある。しかし、大多数の人は登録資料を完全に記憶することが難しいため、このような状況が発生した時に使用者は困惑する。
また、使用者が外出したり、或いは他のコンピューターを使用したりする時には、同様に再び新たに通信ソフトウェアをダウンロード、設置、設定及び
登録しなければならないという問題に直面し、とても面倒である。非固定使用者がコンピューター（公用のコンピューター）を使って上述のインターネット電話を使用することに対しては、アカウントやパスワードが他人に盗用される問題が生じるという可能性がある。
上述の分析内容からも分かるように、直接コンピューターの設置及び
通信ソフトウェアを実行することによってインターネット通話を行う方法には未だにとても多くの使用上の欠点及び安全面の問題が存在してなり、さらにダウンロード及び設置、登録またはアドレス登録等のいずれにも関わらず、全て他人に容易に施行されるべきものではないため、考案人は複雑な設置の免除とインターネット通話の使用上の問題を解決するために方案を提供することで、一般のインターネット電話使用者が使用上においての悩みを解決する。
本考案は上記構造の問題点を解決した即座に使用可能なインターネット通信装置を提供するものである。
【課題を解決するための手段】
【０００５】
上記課題を解決させるために本考案は差し込むことによって即座に使用可能なインターネット電話装置を提供する。
それは主にコンピューター使用に適用したインターネット電話装置を提供するものであり、コンピューターに挿し込んで連接し、使用されるためにUSBポートを具えてなり、並びに挿し込み後にすぐに使用でき、さらに自動的に起動が実行されるという特徴を具えてなることによって、使用者がいかなるコンピューターのUSBポート上に本考案を挿し込んで連接するだけで、資料を入力しなくとも、すぐにコンピューターによって自動的にインターネット登録及びオンラインの順序を完成させ、即座にダイアルと通話を行えるようにする差し込むことによって即座に使用可能とする。
前記のインターネット電話装置で使用されてなる主要な技術としては以下のものが含まれる。
USBポートはコンピューターに相互に対応し、差し込まれて連接されてなることに係り、USBコントローラ内にはスイッチング機能が含まれてなり、並びに装置上のUSBポートに接続してなり、さらにUSBポートの通信協定の規範に合わせる事により、該USBポートがコンピューターに接続できるかどうか判断してなる。
また、記憶ユニットはUSBコントローラにおいて双方向に接続することに係り、該USBコントローラはコンピューターのコントロールの指令を受け取り、資料を記憶ユニットの中に保存、或いは記憶ユニットの中を自動的に読み出すことが可能である。
インターネット電話通信コントロールユニットはUSBコントローラと接続してなり、その内部にはインターネット電話通信に関する資料（例えば、通信プログラム、アカウント、登録資料等のことであり、ここで指すアカウント、登録資料は予め先に入力したものであり、後に続けて入力する必要はない）が建立されてなる。
USBコントローラがコンピューターとの接続を取得することを判断する時、インターネット電話通信コントロールユニットに反応することができる。この時インターネットのブロードキャストのコントローラーは自動的に自己テスト（self test）、自己検証（self authentication）を行い、それが成功した後にコンピューターが自動的にインターネットネットワークと接続し、登録資料を読み出した後コンピューターと特定サーバーによって接続を取得し、サインイン並びにアドレス登録人接続をした後に、使用者は即座にコンピューター上の相関するハードソフト設備（マイクロホン及びスピーカー）によって接続する相手との通話を行う。
通話が終わった時、使用者は本考案の装置をコンピューターから引き離すだけで、コンピューターは本考案との連接が切断されたことを判断し、自動的に電話通信を終え、並びにインターネット通話に関するプログラムを閉じる。そのため、本考案はコンピューターと合わせられてインターネット通話が行われる時、通話ダイアルプログラムによって使用される相関資料は全てインターネット電話通信コントロールユニットの中に建立されてなり、コンピューター端末にはいかなる通信ソフトウェアの設置も完全に必要なく、使用者の登録資料の設定及び多数のアドレス登録人等の相関資料を入力することにより、使用者は本考案をポータブル携帯し、いかなるインターネット接続の機能を持つコンピューターにおいて使用することが可能であり、資料が盗まれることを心配したり、或いは登録した資料を忘れたことによって生じる問題について悩んだりしなくとも良くなる。さらに、内部に設けられた記憶ユニットは、使用者に携帯使用するのに便利で実用的な記憶媒体を提供することを特徴とする即座に使用可能なインターネット通信装置である。
【０００６】
すなわち、請求項１の考案はコンピューターに対応するUSBコネクターに挿し込まれてなるUSBポートに係り、該USBポートに接続することに係るUSBコントローラは、USBポートがコンピューターと接続したかどうかを判断、及び資料の転換処理を行い、該USBコントローラと記憶ユニットは双方向に接続してなり、さらにUSBコントローラはコンピューターのコントロールの命令を受け、資料を記憶ユニット内に保存、或いは記憶ユニット内の資料を読み出すことができ、コンピューター保存媒体を構成してなる。
また、USBコントローラに接続されたインターネット電話通信コントロールユニットは、内部にインターネット電話通信に相関する方式及び資料が建立されてなり、少なくとも１つのアカウントの実行機能を具えてなるため、装置をコンピューターに挿し込んだ直後には自動的にサインインして電話通信が行え、装置を引き抜くと自動的にダウンロードされることを特徴とする即座に使用可能なインターネット通信装置である。
請求項２の考案は前記USBコントローラ内にはスイッチングハブの機能が含まれてなり、並びにデジタル音楽放送ユニットと統合することにより、デジタルプログラムの音楽シグナルを放送することを特徴とする請求項1記載の即座に使用可能なインターネット通信装置である。
請求項３の考案は前記USBコントローラ内にはスイッチングハブの機能が含まれてなり、並びにブルートゥース通信モジュールと統合してなり、外部のブルートゥース通信機、或いはワイヤレス接続の設置を行うことが可能であることを特徴とする請求項1記載の即座に使用可能なインターネット通信装置である。
請求項４の考案は前記記憶ユニットがフラッシュメモリー体、ＥＰＲＯＭ（Erasable Programmable Read Only Memory）、メモリーチップとなることが可能であることを特徴とする請求項1記載の即座に使用可能なインターネット通信装置である。
請求項５の考案は前記フラッシュメモリー体が分割プログラムを通過し、部分的なメモリー空間を分割することによって、インターネット電話通信コントロールユニットをその中に統合することを特徴とする請求項1、2、3、4記載の即座に使用可能なインターネット通信装置である。
請求項6の考案は前記インターネット電話通信コントロールユニットにメッセージ伝送のプログラムが含まれてなることを特徴とする請求項1、2、3記載の即座に使用可能なインターネット通信装置。
請求項７の考案は前記インターネット電話通信コントロールユニットに映像読み取り装置及び伝送のプログラムが含まれてなることを特徴とする請求項1、2、3或いは請求項6記載の即座に使用可能なインターネット通信装置。
請求項８の考案は前記USBコントローラにプッシュボタン件が接続されてなることを特徴とする請求項1、2、3或いは4記載の即座に使用可能なインターネット通信装置。
請求項9の考案は前記USBコントローラにマイクアタッチメント及びイヤホンアタッチメントが接続されてなることを特徴とする請求項1、2、3或いは4記載の即座に使用可能なインターネット通信装置である。
請求項10の考案は前記USBコントローラにマイクアタッチメント、イヤホンアタッチメント、プッシュボタン部が接続されてなることを特徴とする請求項8記載の即座に使用可能なインターネット通信装置である。
【考案の効果】
【０００７】
上記のように、本考案によれば、コンピューターに対応するUSBコネクターに取り付けと同時に接続の判断、及び資料の転換処理を行い自動的に実行して通信を可能とし、並びにデジタル音楽放送ユニットと統合することにより、デジタルプログラムの音楽シグナルを放送し、ブルートゥース通信モジュールと統合してなることにより、外部のブルートゥース通信機、またはワイヤレス接続の設置を行うことを可能とし、さらにフラッシュメモリー体、ＥＰＲＯＭ（Erasable Programmable Read Only Memory）、メモリーチップとなることが可能であり、加えてマイクアタッチメント、イヤホンアタッチメント、プッシュボタン部を接続することにより、インターネット通信の際の快適性と利便性を高めることができる。
【考案を実施するための最良の形態】
【０００８】
本考案の好適な実施例を図を参照して説明する。
図1に示すように、本考案のインターネット電話装置10の好適な実施例であり、USBポート11はコンピューターと相互に対応したUSBコネクターと接続することが可能となり、さらにUSBコントローラ20はUSBポート11によって接続されてなることに係り、信号の探測及び転換の機能を提供する。
また、記憶ユニット21はUSBコントローラ20と双方向に接続することに係る。
該USBコントローラ20はコンピューターのコントロールの命令を受けることによって資料を記憶ユニット21の中に保存、或いは記憶ユニットの中を自動的に読み出すことが可能であり、
該記憶ユニット21はフラッシュメモリーとなることが可能であり、前記に述べた二つの部品によって一般的に謂われる「メモリースティック」を構成することができ、さらにはＥＰＲＯＭ（Erasable Programmable Read Only Memory）、メモリーチップとなり資料を保存する機能を兼ね具える。
加えて、インターネット電話通信コントロールユニット30は前記USBコントローラ20に接続してなり、内部にインターネット通信に相関するプログラム（少なくとも、インターネット電話通信のプログラム）及び資料（例えば、少なくとも１つのアカウントの登録、または資料の入力）が建立されてなり、それにより、インターネット電話通信コントロールユニット30を前記記憶ユニット21内に統合することが可能となり、記憶装置を経て技術を分割し、二つの独立した部分に区別して実行することが可能である。
【０００９】
図２に示すように、本考案のもう１つの好適な実施例であり、前記に記載される実施例と類似している。
まず、USBコントローラ20内にはスイッチングハブの機能を含めることが可能であり、デジタル音楽放送ユニット40と接続してなり、
該デジタル音楽放送ユニット40はMP3音楽ファイルのようなデジタルプログラムの音楽シグナルを放送することを用いることに係る。
【００１０】
図3に示すように、本考案の更なる好適な実施例であり、最初に示された実施例と類似している。さらに、ブルートゥース通信モジュール50を含めてなり、USBコントローラ20内に含まれてなるスイッチングハブの機能により接続されることにより、外部ブルートゥース通信機、或いは通信装置によってワイヤレス接続を行う。
【００１１】
図４に示すように、本考案の又なる好適な実施例であり、主にUSBコントローラ20にさらにプッシュボタン部51、マイクアタッチメント52及びイヤホンアタッチメントを接続してなり、使用者がプッシュボタン部51によって番号をダイアル設定し、マイクやイヤホンなどの装置と接続することにより、直接通話を行うことが可能となり、とても便利である。
【００１２】
図1〜5に示すように、本考案の実際の操作の過程図であり、まず本考案のUSBポート11をコンピューターに対応するUSBコネクター60の挿しこんで接続する。この時、USBポート11を経たUSBコントローラ20には既に通信機能が具えられてなり、本考案がコンピューターと順調に接続されたかどうかを判断し、並びにインターネット通信コントローラも同時に反応する。
該インターネット通信コントローラ30はUSBポート11がすでにコンピューターに挿し込まれた時に、自動的に一連の自己テスト、自己検証のプログラムを行うことが起動されてなり、正常（例えば、ネットワークは接続されているかどうか）検証を待ち、さらには自動登録の成功後61にインターネット電話通信コントロールユニット30は即座にオンライン接続の電話通信プログラム62を実行してなり、使用者が通話相手を選択した後にすぐに相手と接続でき、さらにコンピューターのマイク設備によって相手と通話63を行う。
使用者が通話を終えたい時64にはホットスワップの機能が具えられてなるUSBポート11をコンピューターのUSBコネクターと離す65だけで、オンラインの電話通信プログラムは自動的に測定66してなり、さらには装置が離れた事を認知した時には自動的に閉じられ67、並びにコンピューターの記憶装置から自らの資料を削除し、コンピューターを以前の状態に回復させ、通話に相関するいかなる資料も保存させない。
そのほかに、インターネット放送コントローラ30にはメッセージや映像を転送するプログラムを増設することができ、インターネット電話通信コントロールユニット30によって相手と通話時にコンピューターのプッシュボタン及び撮影装置によって映像及びメッセージなどその他の資料を通話相手に伝送する。
また、実際的なダイアル使用によって異なる地域のアカウント（例えば、台湾、中国大陸、アメリカ、カナダ等）を増やすことが可能であり、接続する地域によってサーバーが異なることについては、インターネット電話ダイヤルによってその他の地域や国家のアナログ交換式の電話ラインの時には、当地の通話料率から計算するため、通話料の節約の功能を獲得する。そのため、本考案のインターネット電話装置は多数のアカウントを備えた状況の下で、テスト及び検証に成功した後にインターフェースの選択を実行することによって、内部に建立されてなる多数の登録資料を選択項目に設計し、使用者がその中から登録、又は入力した資料を選択できるようにし、使用者が通話環境や通話料率によって適合するものを選択し、通話料の節約をする。
【００１３】
使用者がインターネット電話ダイアルに相関する資料を全て本考案の中に建立した後に使用した後、本考案は体積が小さいためにポータブル携帯がかのうであり、さらに自動的にインターネット電話をダイアルするという機能を具える外に、大容量の保存媒体としての機能も兼ね具える。
使用者がインターネット電話をダイアルしたい時には、本考案をインターネット接続及びマイク等の基本設備を具えるコンピューターに接続するだけで、即座に自動的にオンライン電話通信のプログラムを実行し、通話相手との接続を可能とする。さらに、通話を終えたい時には、本考案をコンピューターから引き抜くだけよい。
本考案は電話通信用の相関資料を全てインターネット電話通信コントロールユニットの中に建立しているために、コンピューターにはいかなる通信ソフトウェアを設置、及び設定する必要が無く、完全にアカウント資料が流出する危険性を排除することができることを提供する、設置不用で安全性が高く、挿し込む事により即座に使用可能なインターネット電話装置を提供する。
【図面の簡単な説明】
【００１４】
【図１】本考案の好適な実施例の電気回路ブロック図である。
【図２】本考案のもう１つの好適な実施例の電気回路ブロック図である。
【図３】本考案の更なる好適な実施例の電気回路ブロック図である。
【図４】本考案の又なる好適な実施例の電気回路ブロック図である。
【図５】本考案の操作過程図である。
【符号の説明】
【００１５】
10 インターネット電話装置
11 USBポート
20  USBコントローラ
21 記憶ユニット
30 インターネット電話通信コントロールユニット
40 デジタル音楽放送ユニット
50 ブルートゥース通信モジュール
51 プッシュボタン部
52 マイクアタッチメント
53 イヤホンアタッチメント
【図１】
0003126354.tif 000003
【図２】
0003126354.tif 000004
【図３】
0003126354.tif 000005
【図４】
0003126354.tif 000006
【図５】
0003126354.tif 000007
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
コンピューターに対応するUSBコネクターに挿し込まれてなるUSBポートに係り、該USBポートに接続することに係るUSBコントローラは、USBポートがコンピューターと接続したかどうかを判断、及び資料の転換処理を行う。
該USBコントローラと記憶ユニットは双方向に接続してなり、さらに
USBコントローラはコンピューターのコントロールの命令を受け、資料を記憶ユニット内に保存、或いは記憶ユニット内の資料を読み出すことができ、コンピューター保存媒体を構成してなる。
また、USBコントローラに接続されたインターネット電話通信コントロールユニットは、内部にインターネット電話通信に相関する方式及び資料が建立されてなり、少なくとも１つのアカウントの実行機能を具えてなるため、装置をコンピューターに挿し込んだ直後には自動的にサインインして電話通信が行え、装置を引き抜くと自動的にダウンロードされることを特徴とする即座に使用可能なインターネット通信装置。
【請求項２】
前記USBコントローラ内にはスイッチングハブの機能が含まれてなり、並びにデジタル音楽放送ユニットと統合することにより、デジタルプログラムの音楽シグナルを放送することを特徴とする請求項1記載の即座に使用可能なインターネット通信装置。
【請求項３】
前記USBコントローラ内にはスイッチングハブの機能が含まれてなり、並びにブルートゥース通信モジュールと統合してなり、外部のブルートゥース通信機、或いはワイヤレス接続の設置を行うことが可能であることを特徴とする請求項1記載の即座に使用可能なインターネット通信装置。
【請求項４】
前記記憶ユニットがフラッシュメモリー体、ＥＰＲＯＭ（Erasable Programmable Read Only Memory）、メモリーチップとなることが可能であることを特徴とする請求項1記載の即座に使用可能なインターネット通信装置。
【請求項５】
前記フラッシュメモリー体が分割プログラムを通過し、部分的なメモリー空間を分割することによって、インターネット電話通信コントロールユニットをその中に統合することを特徴とする請求項1〜4のいずれか１項に記載の即座に使用可能なインターネット通信装置。
【請求項６】
前記インターネット電話通信コントロールユニットにメッセージ伝送のプログラムが含まれてなることを特徴とする請求項1〜3のいずれか１項に記載の即座に使用可能なインターネット通信装置。
【請求項７】
前記インターネット電話通信コントロールユニットに映像読み取り装置及び伝送のプログラムが含まれてなることを特徴とする請求項1〜3のいずれか１項或いは請求項6記載の即座に使用可能なインターネット通信装置。
【請求項８】
前記USBコントローラにプッシュボタン件が接続されてなることを特徴とする請求項1〜4のいずれか１項に記載の即座に使用可能なインターネット通信装置。
【請求項９】
前記USBコントローラにマイクアタッチメント及びイヤホンアタッチメントが接続されてなることを特徴とする請求項1〜4のいずれか１項に記載の即座に使用可能なインターネット通信装置。
【請求項１０】
前記USBコントローラにマイクアタッチメント、イヤホンアタッチメント、プッシュボタン部が接続されてなることを特徴とする請求項8記載の即座に使用可能なインターネット通信装置。
【手続補正書】
【提出日】平成18年5月8日(2006.5.8)
【手続補正１】
【補正対象書類名】実用新案登録請求の範囲
【補正対象項目名】全文
【補正方法】変更
【補正の内容】
【実用新案登録請求の範囲】
【請求項１】
コンピューターに対応するUSBコネクターに挿し込まれてなるUSBポートに係り、該USBポートに接続することに係るUSBコントローラは、USBポートがコンピューターと接続したかどうかを判断、及び資料の転換処理を行い、該USBコントローラと記憶ユニットは双方向に接続してなり、さらに、コンピューターのコントロールの命令を受け、資料を記憶ユニット内に保存、或いは記憶ユニット内の資料を読み出すことができ、コンピューター保存媒体を構成してなるUSBコントローラであり、
USBコントローラに接続されたインターネット電話通信コントロールユニットは、内部にインターネット電話通信に相関する方式及び資料が建立されてなり、少なくとも１つのアカウントの実行機能を具えてなり、装置をコンピューターに挿し込んだ直後には自動的にサインインして電話通信が行え、装置を引き抜くと自動的にダウンロードされるインターネット電話通信コントロールユニットであることを特徴とする即座に使用可能なインターネット通信装置。
【請求項２】
前記USBコントローラ内にはスイッチングハブの機能が含まれてなり、並びにデジタル音楽放送ユニットと統合することにより、デジタルプログラムの音楽シグナルを放送することを特徴とする請求項1記載の即座に使用可能なインターネット通信装置。
【請求項３】
前記USBコントローラ内にはスイッチングハブの機能が含まれてなり、並びにブルートゥース通信モジュールと統合してなり、外部のブルートゥース通信機、或いはワイヤレス接続の設置を行うことが可能であることを特徴とする請求項1記載の即座に使用可能なインターネット通信装置。
【請求項４】
前記記憶ユニットがフラッシュメモリー体、ＥＰＲＯＭ（Erasable Programmable Read Only Memory）、メモリーチップとなることが可能であることを特徴とする請求項1記載の即座に使用可能なインターネット通信装置。
【請求項５】
前記フラッシュメモリー体が分割プログラムを通過し、部分的なメモリー空間を分割することによって、インターネット電話通信コントロールユニットをその中に統合することを特徴とする請求項1〜4のいずれか１項に記載の即座に使用可能なインターネット通信装置。
【請求項６】
前記インターネット電話通信コントロールユニットにメッセージ伝送のプログラムが含まれてなることを特徴とする請求項1〜3のいずれか１項に記載の即座に使用可能なインターネット通信装置。
【請求項７】
前記インターネット電話通信コントロールユニットに映像読み取り装置及び伝送のプログラムが含まれてなることを特徴とする請求項1〜3のいずれか１項或いは請求項6記載の即座に使用可能なインターネット通信装置。
【請求項８】
前記USBコントローラにプッシュボタン件が接続されてなることを特徴とする請求項1〜4のいずれか１項に記載の即座に使用可能なインターネット通信装置。
【請求項９】
前記USBコントローラにマイクアタッチメント及びイヤホンアタッチメントが接続されてなることを特徴とする請求項1〜4のいずれか１項に記載の即座に使用可能なインターネット通信装置。
【請求項１０】
前記USBコントローラにマイクアタッチメント、イヤホンアタッチメント、プッシュボタン部が接続されてなることを特徴とする請求項8記載の即座に使用可能なインターネット通信装置。
【手続補正書】
【提出日】平成18年7月18日(2006.7.18)
【手続補正１】
【補正対象書類名】実用新案登録請求の範囲
【補正対象項目名】全文
【補正方法】変更
【補正の内容】
【実用新案登録請求の範囲】
【請求項１】
コンピューターに対応するＵＳＢコネクターに挿し込まれてなるＵＳＢポートと、
記憶ユニットと、
前記ＵＳＢポート及び前記記憶ユニットに接続され、前記ＵＳＢポートがコンピューターと接続したかどうかを判断、及び資料の転換処理を行い、さらに、コンピューターのコントロールの命令を受け、資料を前記記憶ユニット内に保存、或いは前記記憶ユニット内の資料を読み出すことができ、コンピューター保存媒体を構成してなるＵＳＢコントローラと、
前記ＵＳＢコントローラに接続され、内部にインターネット電話通信に相関する方式及び資料が建立されてなり、少なくとも１つのアカウントの実行機能を具えてなり、装置をコンピューターに挿し込んだ直後には自動的にサインインして電話通信が行え、装置を引き抜くと自動的にダウンロードされるインターネット電話通信コントロールユニットとを有することを特徴とする即座に使用可能なインターネット通信装置。
【請求項２】
前記ＵＳＢコントローラ内にはスイッチングハブの機能が含まれてなり、並びにデジタル音楽放送ユニットと統合することにより、デジタルプログラムの音楽シグナルを放送することを特徴とする請求項１記載の即座に使用可能なインターネット通信装置。
【請求項３】
前記ＵＳＢコントローラ内にはスイッチングハブの機能が含まれてなり、並びにブルートゥース通信モジュールと統合してなり、外部のブルートゥース通信機、或いはワイヤレス接続の設置を行うことが可能であることを特徴とする請求項１記載の即座に使用可能なインターネット通信装置。
【請求項４】
前記記憶ユニットがフラッシュメモリー体、ＥＰＲＯＭ（Erasable Programmable Read Only Memory）、メモリーチップとなることが可能であることを特徴とする請求項１記載の即座に使用可能なインターネット通信装置。
【請求項５】
前記フラッシュメモリー体が分割プログラムを通過し、部分的なメモリー空間を分割することによって、インターネット電話通信コントロールユニットをその中に統合することを特徴とする請求項１〜４のいずれか１項に記載の即座に使用可能なインターネット通信装置。
【請求項６】
前記インターネット電話通信コントロールユニットにメッセージ伝送のプログラムが含まれてなることを特徴とする請求項１〜３のいずれか１項に記載の即座に使用可能なインターネット通信装置。
【請求項７】
前記インターネット電話通信コントロールユニットに映像読み取り装置及び伝送のプログラムが含まれてなることを特徴とする請求項１〜３のいずれか１項或いは請求項６記載の即座に使用可能なインターネット通信装置。
【請求項８】
前記ＵＳＢコントローラにプッシュボタン件が接続されてなることを特徴とする請求項１〜４のいずれか１項に記載の即座に使用可能なインターネット通信装置。
【請求項９】
前記ＵＳＢコントローラにマイクアタッチメント及びイヤホンアタッチメントが接続されてなることを特徴とする請求項１〜４のいずれか１項に記載の即座に使用可能なインターネット通信装置。
【請求項１０】
前記ＵＳＢコントローラにマイクアタッチメント、イヤホンアタッチメント、プッシュボタン部が接続されてなることを特徴とする請求項８記載の即座に使用可能なインターネット通信装置。
【手続補正書】
【提出日】平成18年8月16日(2006.8.16)
【手続補正１】
【補正対象書類名】明細書
【補正対象項目名】０００３
【補正方法】変更
【補正の内容】
【０００３】
現在、インターネット電話はここ何年かの技術改進を経過することにより、通話品質上においては既に交換式電話システムと比較しても大して違いがなく、さらに相対してインターネット人口或いは会社の部門が通話パイプとしてインターネット電話を使用するという状況は日に日に普及している。
一般にコンピューターでインターネットを利用して通話している人達から見て、現在インターネット電話の使用状況としては、一部の大型入り口ウェブサイトが現在無料ダウンロードの即時の通信ソフトウェア（例えば、YAHOO messenger（登録商標）、MSN（登録商標）、SKY net（登録商標）等）を提供してなり、インターネット利用者がコンピューターにダウンロードを実行後に、再びウェブサイトに連結してサーバーを入力し、基本資料の登録及びアドレスの作成等をし、今後の使用時に快速にアドレス登録している人に対して使用者がオンラインにいることを知らせることに役立てる。
使用のプログラムとしては、一般的にはインターネットサーバーにそれぞれの使用者のオンライン状況及びメールアドレスを記録することが統一されてなり、サインインに成功した使用者が再び同じサーバーにオンライン時に、
該サーバーは使用者が以前に作成し、同じくサーバー登録に成功した相手のアドレス資料（例えばメールアドレス）を読み取ることができ、並びに使用者が既にオンラインに成功した情報を現在オンラインしている他のアドレス登録者に知らせ、それと同時にアドレス登録者のオンラインの状況や反応を使用者のコンピュータ上に示すため、使用者或いはその他のアドレス登録された人達は即座にオンライン上にいる相手と連接することが可能となる。
現在の各種の通信ソフトウェアが提供する功能から見ると、一般的にはメッセージ/メール/伝言板/通話/映像等の情報が含まれる。すなわち、オンラインする双方が以上の各種の資料の形態によってコミュニケーションを行うことが可能となり、非常に便利である。
上述の説明からも分かるとおり、現在コンピューターによって実行されているインターネット電話通信はおそらく以下の順序によってなる。
通信ソフトウェアを取得し、通信ソフトウェアを実行及び設置することにより特定のサーバーに連接することによって、資料の登録やアドレス資料の設定、パスワード及びアカウントを取得することを行った後に、再び新たにサーバーに連接し、パスワードとアカウントを入力してサインインを成功させ、オンラインしている一人の相手或いは多数の相手との連接を建立し、ソフトウェアの通話の機能を選択し、通話を行う。